(57)【特許請求の範囲】
【請求項１】
吸収器と、高温再生器と、低温再生器と、凝縮器と、蒸発器と、前記高温再生器を加熱する加熱手段と、前記吸収器および前記凝縮器に冷却水を循環させる冷却水ポンプと、空調負荷および前記蒸発器に冷水を循環させる冷水ポンプと、稀吸収液ポンプと、前記高温再生器における吸収液の温度を検出する吸収液温度センサと、外部温度を検出する外部温度センサと、制御手段と、を有し、
前記制御手段は、運転を停止させた際に、希釈運転を行うとともに、前記吸収液温度センサによる吸収液の温度が所定温度以下の場合、希釈運転を停止させ、運転開始時に、前記外部温度センサによる外部温度が所定温度より高い場合、前記稀吸収液ポンプを所定の駆動周波数演算値より低い駆動周波数で駆動するように制御することを特徴とする吸収式冷凍機。
【請求項２】
前記制御手段は、前記吸収液温度センサによる吸収液の温度が１３０℃以下の場合、希釈運転を停止させるように制御することを特徴とする請求項１に記載の吸収式冷凍機。
【請求項３】
前記制御手段は、希釈運転を停止させる場合に、前記冷却水ポンプを停止させた後、所定時間が経過した後に前記冷水ポンプを停止させるように制御することを特徴とする請求項１または請求項２に記載の吸収式冷凍機。
【請求項４】
前記制御手段は、運転開始時に、前記外部温度センサによる外部温度が２５℃より高い場合、前記稀吸収液ポンプを所定の駆動周波数演算値より１０Ｈｚ低い駆動周波数で駆動するように制御することを特徴とする請求項１から請求項３のいずれか一項に記載の吸収式冷凍機。
【請求項５】
前記制御手段は、希釈運転開始時における冷凍能力比をメモリに記憶させ、運転開始時に、前記外部温度センサによる外部温度が２５℃以下の場合、前記メモリに記憶された冷凍能力比が所定値より高いか否かを判断し、前記冷凍能力比が所定値より高い場合は、前記稀吸収液ポンプを所定の駆動周波数演算値より５Ｈｚ低い駆動周波数で駆動するように制御することを特徴とする請求項１から請求項４のいずれか一項に記載の吸収式冷凍機。
【請求項６】
前記制御手段は、運転停止後、運転を開始する場合に、運転停止から所定時間以上経過した場合には、運転開始の前に希釈運転を実施するように制御することを特徴とする請求項１から請求項５のいずれか一項に記載の吸収式冷凍機。
【発明の詳細な説明】
【技術分野】
【０００１】
本発明は、吸収式冷凍機に係り、特に、起動時間の短縮を図ることを可能とした吸収式冷凍機に関する。
【背景技術】
【０００２】
一般に、高温再生器、低温再生器、蒸発器、凝縮器および吸収器を備え、これらを配管接続して吸収液及び冷媒の循環経路をそれぞれ形成した吸収式冷凍機が知られている。吸収式冷凍機は、例えば、オフィスビルのセントラル空調などに用いられている。
このような吸収式冷凍機においては、吸収式冷凍機が運転されている限り濃吸収液ポンプを運転し、低温再生器で冷媒を蒸発分離した濃吸収液を吸収器に供給するので、冷凍負荷が殆ど無い状態が継続している場合に高温再生器における加熱を停止しても、低温再生器から吸収器に供給される濃吸収液は濃吸収液ポンプの熱によって加熱される。このため、濃吸収液が温度上昇して結晶化し、管路が詰まって濃吸収液の循環を妨げることがあった。
【０００３】
このような濃吸収液の結晶化を防ぐために、従来、例えば、蒸発器からの冷媒液を冷媒液ポンプにより蒸発器の冷媒液散布管に供給する管路における冷媒液ポンプの下流側と、低温再生器からの濃吸収液を濃吸収液ポンプにより低温熱交換器を経て吸収器に供給する管路における低温熱交換器の下流側とを結ぶ冷媒液バイパス管路を設けると共に、当該冷媒液バイパス管路に開閉弁を設け、起動時に、蒸発器からの冷媒液の一部を、冷媒液ポンプにより冷媒液バイパス管路を介して供給するようにした技術が開示されている（例えば、特許文献１参照）。
【先行技術文献】
【特許文献】
【０００４】
【特許文献１】特許第５１８１０５４号公報
【発明の概要】
【発明が解決しようとする課題】
【０００５】
一般に、吸収液の結晶化を防止するため、吸収式冷凍機の運転を停止した場合に、高温再生器における吸収液の濃度を希釈するための希釈運転を行うようにしている。
しかしながら、希釈運転を行った場合、吸収液の濃度が低下しているため、吸収式冷凍機を再起動した場合に、吸収液を所定の濃度まで濃縮するのに、時間がかかってしまい、吸収式冷凍機の起動に時間がかかってしまうという問題がある。
【０００６】
本発明は、前記した事情に鑑みてなされたものであり、吸収液の結晶化を防止するとともに、起動時間の短縮を図ることのできる吸収式冷凍機を提供することを目的とするものである。
【課題を解決するための手段】
【０００７】
前記目的を達成するため、本発明は、吸収器と、高温再生器と、低温再生器と、凝縮器と、蒸発器と、前記高温再生器を加熱する加熱手段と、前記吸収器および前記凝縮器に冷却水を循環させる冷却水ポンプと、空調負荷および前記蒸発器に冷水を循環させる冷水ポンプと、稀吸収液ポンプと、前記高温再生器における吸収液の温度を検出する吸収液温度センサと、外部温度を検出する外部温度センサと、制御手段と、を有し、前記制御手段は、運転を停止させた際に、希釈運転を行うとともに、前記吸収液温度センサによる吸収液の温度が所定温度以下の場合、希釈運転を停止させ、運転開始時に、前記外部温度センサによる外部温度が所定温度より高い場合、前記稀吸収液ポンプを所定の駆動周波数演算値より低い駆動周波数で駆動するように制御することを特徴とする。
【０００８】
前記構成において、前記制御手段は、前記吸収液温度センサによる吸収液の温度が１３０℃以下の場合、希釈運転を停止させるように制御することを特徴とする。
【０００９】
前記構成において、前記制御手段は、希釈運転を停止させる場合に、前記冷却水ポンプを停止させた後、所定時間が経過した後に前記冷水ポンプを停止させるように制御することを特徴とする。
【００１０】
前記構成において、前記制御手段は、運転開始時に、前記外部温度センサによる外部温度が２５℃より高い場合、前記稀吸収液ポンプを所定の駆動周波数演算値より１０Ｈｚ低い駆動周波数で駆動するように制御する。
【００１１】
前記構成において、前記制御手段は、希釈運転開始時における冷凍能力比をメモリに記憶させ、運転開始時に、前記外部温度センサによる外部温度が２５℃以下の場合、前記メモリに記憶された冷凍能力比が所定値より高いか否かを判断し、前記冷凍能力比が所定値より高い場合は、前記稀吸収液ポンプを所定の駆動周波数演算値より５Ｈｚ低い駆動周波数で駆動するように制御することを特徴とする。
【００１２】
前記構成において、前記制御手段は、運転停止後、運転を開始する場合に、運転停止から所定時間以上経過した場合には、運転開始の前に希釈運転を実施するように制御することを特徴とする。
【発明の効果】
【００１３】
本発明によれば、吸収式冷凍機の運転停止後の希釈運転時に、吸収液の温度が所定温度以下の場合に、直ちに希釈運転を停止させるようにしているので、高温再生器における吸収液の濃度が必要以上に低くなることを防止することができる。また、運転を開始する場合に、外部温度が所定温度より高い場合、稀吸収液ポンプを所定の駆動周波数演算値より低い駆動周波数で駆動することで、吸収液の循環量を低減させ、これにより、高温再生器における吸収液の濃度が必要以上に低くなることを防止することができる。
その結果、高温再生器における吸収液の濃度が低くなりすぎないように制御することができるので、運転開始時において、バーナの燃焼により、短時間で吸収液を必要な濃度に濃縮することができ、起動時間を短縮することが可能となる。
【図面の簡単な説明】
【００１４】
【図１】本実施形態に係る吸収式冷温水機の概略構成図である。
【図２】本実施形態の制御構成を示すブロック図である。
【図３】本実施形態の動作を示すタイミングチャートである。
【図４】本実施形態の動作を示すフローチャートである。
【発明を実施するための形態】
【００１５】
以下、図面を参照して本発明の一実施形態を説明する。
図１は、本実施形態に係る吸収式冷凍機の概略構成図である。本実施形態においては、吸収式冷凍機１として二重効用吸収式冷凍機１の例を示しており、この吸収式冷凍機１は、冷媒に水を、吸収液に臭化リチウム（ＬｉＢｒ）水溶液を使用している。
吸収式冷凍機１は、図１に示すように、高温再生器１０と、低温再生器１１と、凝縮器１２と、蒸発器１３と、吸収器１４とを備えている。本実施形態においては、低温再生器１１と、凝縮器１２とは、一体の容器に収納されており、蒸発器１３と、吸収器１４とは一体の容器に収納されている。
高温再生器１０、低温再生器１１、凝縮器１２、蒸発器１３、吸収器１４、高温熱交換器１５、低温熱交換器１６は、それぞれ吸収液配管１７および冷媒配管１８により接続され、吸収液系の循環路および冷媒系の循環路が構成されている。
【００１６】
高温再生器１０は、加熱手段としてのバーナ２０を備えており、高温再生器１０には、吸収器１４から稀吸収液ポンプ２１により吸収液配管１７ａを介して戻された稀吸収液が貯留されている。そして、バーナ２０を燃焼させることにより、稀吸収液を加熱することで、冷媒蒸気を稀吸収液から分離させるものである。これにより、稀吸収液は中濃吸収液となり、吸収液配管１７ｂを介して低温再生器１１に送られるが、高温熱交換器１５を通過する際に吸収液配管１７ａを流れる稀吸収液との間で熱交換することにより放熱して低温再生器１１に貯留される。
一方、蒸発した冷媒蒸気は、冷媒配管１８ａを介して凝縮器１２に供給されるが、低温再生器１１内を通過する際に低温再生器１１に貯留された中濃吸収液との間で熱交換することにより放熱して気液混合液となり、その後、液化して冷媒液となって凝縮器１２の底部に貯留される。
【００１７】
低温再生器１１は、高温再生器１０から供給された中濃吸収液を低温再生器１１内を通過する冷媒蒸気によって加熱させ、中濃吸収液中の冷媒液を蒸発させて分離させて濃吸収液とするものである。濃吸収液は、濃吸収液ポンプ２２により吸収液配管１７ｃを介して吸収器１４に供給される。この場合に、濃吸収液は、低温熱交換器１６を通過する際に高温再生器１０に向かって吸収液配管１７ａを流れる稀吸収液との間で熱交換することにより放熱して吸収器１４の濃吸収液散布装置２３に送られる。一方、低温再生器１１で蒸発した冷媒蒸気は、仕切壁２４の上部を越えて凝縮器１２側に流入される。
【００１８】
また、凝縮器１２には、冷却水配管２５が挿通されており、凝縮器１２の内部の冷媒蒸気は、冷却水配管２５を通る冷却水と熱交換して凝縮して冷媒液となる。冷媒液は、冷媒配管１８ｂを介して蒸発器１３に送られる。
【００１９】
蒸発器１３には、図示しない空気調和装置などの空調負荷に接続される冷水配管２６が挿通されており、蒸発器１３は、冷媒ポンプ２７により、蒸発器１３の下部に貯留された冷媒液を冷媒配管１８ｃを介して蒸発器１３の上部に設置された冷媒散布装置２８から散布するように構成されている。冷水配管２６を流れる冷水は、冷媒散布装置から散布された冷媒液と熱交換して冷却される。また、液冷媒は、蒸発器１３における冷温水との熱交換により気化し、冷媒蒸気となって吸収器１４に流れ込む。
【００２０】
吸収器１４には、冷却水配管２５が挿通されており、吸収器１４においては、蒸発器１３から流れ込む冷媒蒸気が濃吸収液散布装置２３から散布される濃吸収液に吸収されて濃度が低くなるとともに、冷却水配管２５を流れる冷却水と熱交換され、低温の稀吸収液となる。
吸収器１４の底部に溜まった稀吸収液は、稀吸収液ポンプ２１により吸収液配管１７ａを介して高温再生器１０に戻されるが、途中で低温熱交換器１６を通過する際に低温再生器１１から吸収器１４に向かって流れる中温濃吸収液との間で熱交換して加熱され、次いで高温熱交換器１５を通過する際に高温再生器１０から低温再生器１１に向かって流れる高温濃吸収液との間で熱交換して再加熱された後に高温再生器１０に戻される。
【００２１】
また、冷却水配管２５の入口側および出口側は、それぞれ図示しない冷却塔などの冷却水装置に接続されており、冷却水配管２５の入口側には、冷却水ポンプ３０が設けられている。この冷却水ポンプ３０は、インバータ制御により、能力を可変することができるように構成されている。
そして、冷却水ポンプ３０を駆動することにより、冷却水配管２５を介して吸収器１４と凝縮器１２を経由して冷却水を循環させるように構成されている。
また、冷水配管２６の入口側には、冷水を循環させるための冷水ポンプ３１が設けられており、冷水ポンプ３１を駆動することにより、蒸発器１３と空気調和装置との間で冷水を循環させるように構成されている。冷水ポンプ３１は、同様に、インバータ制御により、能力を可変することができるように構成されている。また、稀吸収液ポンプ２１、濃吸収液ポンプ２２および冷媒ポンプ２７も、同様に、インバータ制御により、能力を可変することができるように構成されている。
さらに、冷水配管２６の入口側および出口側には、冷水の温度を検出するための冷水入口温度センサ３２および冷水出口温度センサ３３がそれぞれ設けられている。また、高温再生器１０の出口側における吸収液の温度を検出するための吸収液温度センサ３４および吸収式冷凍機１の外部温度を検出するための外部温度センサ３５がそれぞれ設けられている。
【００２２】
次に、本実施形態の制御構成について説明する。
図２は、本実施形態の制御構成を示すブロック図である。
図２に示すように、本実施形態の吸収式冷凍機１は、コントローラ４０を備えており、コントローラ４０は、制御手段としての制御装置４１を備えている。制御装置４１は、吸収式冷凍機１の各部を中枢的に制御するものであり、演算実行部としてのＣＰＵ、このＣＰＵによって実行可能な基本制御プログラムや所定のデータ等を不揮発的に記憶するＲＯＭ、ＲＡＭ、その他の周辺回路などを備えている。
また、制御装置４１には、冷水入口温度センサ３２、冷水出口温度センサ３３、吸収液温度センサ３４および外部温度センサ３５の検出信号がそれぞれ入力されるように構成されている。
また、コントローラ４０は、メモリ４２と、タイマ４３と、操作部４４と、運転表示部４５とをそれぞれ備えている。
コントローラ４０の制御装置４１は、吸収式冷凍機１のバーナ２０の燃料制御弁４６を制御することで、バーナ２０による燃焼制御を行うとともに、稀吸収液ポンプ２１、濃吸収液ポンプ２２および冷媒ポンプ２７の駆動制御を行うように構成されている。さらに、コントローラ４０の制御装置４１は、稀吸収液ポンプ２１、濃吸収液ポンプ２２、冷媒ポンプ２７、冷却水ポンプ３０および冷水ポンプ３１のインバータ制御を行うことで、稀吸収液ポンプ２１、濃吸収液ポンプ２２、冷媒ポンプ２７、冷却水ポンプ３０および冷水ポンプ３１による流量制御を行うように構成されている。
【００２３】
そして、コントローラ４０の制御装置４１は、通常の運転時には、稀吸収液ポンプ２１、濃吸収液ポンプ２２、冷媒ポンプ２７およびバーナ２０をそれぞれ制御することで、吸収液と冷媒との流量、燃焼能力などを制御することで、冷水の温度を所定の設定値になるように制御する。
【００２４】
一般に、吸収式冷凍機１の運転を停止すると、バーナ２０による燃焼を停止しても、高温再生器１０において吸収液の濃縮が行われてしまい、吸収液の濃度が高くなることがある。このように吸収液の濃度が高い状態で、吸収液の温度が低下すると、吸収液が結晶化してしまうおそれがある。
一方で、吸収液の濃度が低い状態から吸収式冷凍機１を再起動させようとすると、吸収液が一定の濃度に濃縮されるまでに時間がかかり、起動に時間がかかってしまう。
【００２５】
そのため、本実施形態においては、吸収式冷凍機１の運転を停止した場合に、制御装置４１は希釈運転を開始する。
図３は、本実施形態におけるバーナ２０、稀吸収液ポンプ２１、冷却水ポンプ３０および冷水ポンプ３１の駆動、停止を示すタイミングチャートである。
図３に示すように、希釈運転は、具体的には、まず、吸収式冷凍機１の運転を停止すると、制御装置４１は、バーナ２０を短時間（例えば、１分間）低燃焼させ、１分経過後にバーナ２０を停止させる。
このとき、制御装置４１は、希釈運転開始時における冷凍能力比を演算して、メモリに記憶させておく。
【００２６】
冷凍能力比Ｑは、以下の式で求めることができる。
｛（冷水入口温度−冷水出口温度）／冷水定格温度差｝×冷水流量割合
冷水の入口温度および出口温度は、冷水入口温度センサおよび冷水出口温度センサによりそれぞれ検出可能である。冷水定格温度差は、あらかじめ設定される冷水入口温度と冷水出口温度との差であり、例えば、５℃に設定される。また、冷水流量割合は、冷水配管に設けられた図示しない差圧センサにより検出することが可能である。
冷凍能力比Ｑは、制御装置４１により、常に演算しているものであり、希釈運転開始時における冷凍能力比Ｑをメモリに記憶させる。
【００２７】
次に、制御装置４１は、高温再生器１０の吸収液の出口温度が一定温度、具体的には、１３０℃より低い場合には、直ちに冷却水ポンプ３０を停止させるように制御する。
一般には、吸収液の出口温度が、例えば、１２０℃より低い場合に、希釈運転を停止するように制御しているが、本実施形態においては、それより高い１３０℃より低い場合に希釈運転を停止させることで、希釈運転の時間を短くして高温再生器１０における吸収液の濃度が必要以上に薄くなることを防止するようにしている。
一方、高温再生器１０の吸収液の出口温度が１３０℃より高い場合は、制御装置４１は、通常の希釈運転を継続させた後、冷却水ポンプ３０を停止させるように制御する。
【００２８】
制御装置４１は、冷却水ポンプ３０を停止させた後、一定時間（例えば、１分間）は、冷水ポンプ３１を運転しておくように制御する。冷却水ポンプ３０を停止させた後、冷水ポンプ３１を駆動させることで、冷水配管内を流れる冷水の熱を逃がすようにしている。
そして、制御装置４１は、冷却水ポンプ３０を停止させた後、一定時間経過後、冷水ポンプ３１を停止させるとともに、稀吸収液ポンプ２１を停止させるように制御する。
これら一連の希釈運転を行った後、吸収式冷凍機１が完全に停止される。
【００２９】
次に、再び、運転を開始する場合は、制御装置４１は、吸収式冷凍機１の運転停止後の経過時間を求め、経過時間が２４時間を超えている場合であって、かつ、冷凍能力比Ｑが８０％以上の場合には、希釈運転を実施するように制御する。長時間運転を停止していた場合、吸収液の濃度が高くなっている可能性があるためである。
希釈運転は、稀吸収液ポンプ２１、冷却水ポンプ３０および冷水ポンプ３１を駆動することで行われる。
そして、制御装置４１は、希釈運転を行った後、運転を開始する。なお、吸収式冷凍機１の運転停止後の経過時間が２４時間以下の場合には、希釈運転を行わず、直ちに吸収式冷凍機１の運転を開始するように制御する。
【００３０】
この場合に、制御装置４１は、外部温度センサ３５による外部温度を検出し、外部温度が２５℃より高い場合には、一定時間（例えば、３０分間）稀吸収液ポンプ２１の駆動周波数を所定の駆動周波数演算値より低くなるように制御する。
具体的には、稀吸収液ポンプ２１の駆動周波数は、吸収式冷凍機１の吸収液温度などに基づいて、演算により求められるが、本実施形態においては、演算により求められた駆動周波数演算値から１０Ｈｚ低い駆動周波数で駆動するように制御するものである。
このように稀吸収液ポンプ２１の駆動周波数を低く制御することで、高温再生器１０に送られる吸収液の循環量が低くなることから、高温再生器１０における吸収液の濃度が必要以上に薄くなることを防止することができるものである。
【００３１】
一方、外部温度が２５℃以下の場合には、制御装置４１は、メモリに記憶された冷凍能力比Ｑが５０％以下か否かを判断する。冷凍能力比Ｑが５０％より高い場合は、制御装置４１は、稀吸収液ポンプ２１の駆動周波数を駆動周波数演算値よりわずかに低くなるように制御する。
具体的には、演算により求められた駆動周波数演算値から５Ｈｚ低い駆動周波数で駆動するように制御する。
冷凍能力比Ｑが高い場合は、高温再生器１０における吸収液の濃度が高くなっている可能性があるので、必要以上に駆動周波数を下げてしまうと、吸収液が希釈されず、結晶化するおそれがあるためである。
そして、制御装置４１は、高温再生器１０における吸収液の出口温度が１２５℃以上になった場合には、稀吸収液ポンプ２１の駆動周波数をさらに５Ｈｚ低くなるように制御する。
また、冷凍能力比Ｑが５０％以下の場合は、外部温度が２５℃より高い場合と同様に、稀吸収液ポンプ２１の駆動周波数を１０Ｈｚ低い駆動周波数で駆動するように制御する。
【００３２】
次に、本実施形態の冷房運転時における動作について、図４に示すフローチャートを参照して説明する。
【００３３】
吸収式冷凍機１が運転を停止した場合（ＳＴ１）、制御装置４１は、希釈運転を開始する（ＳＴ２）。希釈運転が開始されると、制御装置４１は、バーナ２０を短時間（例えば、１分間）低燃焼させた後、バーナ２０を停止させる。
このとき、制御装置４１は、希釈運転開始時における冷凍能力比Ｑを演算して、メモリに記憶させておく（ＳＴ３）。
【００３４】
そして、制御装置４１は、高温再生器１０の吸収液の出口温度が、１３０℃より低いか否かを判断し（ＳＴ４）、吸収液の出口温度が１３０℃以下の場合には（ＳＴ４：ＹＥＳ）、直ちに冷却水ポンプ３０を停止させるように制御する（ＳＴ５）。
一方、高温再生器１０の吸収液の出口温度が１３０℃より高い場合は（ＳＴ４：ＮＯ）、制御装置４１は、通常の希釈運転を継続させた後（ＳＴ７）、高温再生器１０の吸収液の出口温度が１３０℃以下の場合に、冷却水ポンプ３０を停止させるように制御する（ＳＴ５）。
【００３５】
制御装置４１は、冷却水ポンプ３０を停止させた後、１分間冷水ポンプ３１を運転した後、冷水ポンプ３１を停止させるとともに、希釈液ポンプを停止させる（ＳＴ６）。
これら一連の希釈運転を行った後、吸収式冷凍機１が完全に停止される。
【００３６】
次に、再び、運転を開始する場合は、制御装置４１は、吸収式冷凍機１の運転停止後の経過時間を求め、経過時間が２４時間を超えている場合であって、かつ、冷凍能力比Ｑが８０％以上の場合には（ＳＴ８：ＹＥＳ）、希釈運転を実施する（ＳＴ９）。そして、制御装置４１は、希釈運転を行った後、運転を開始する（ＳＴ１０）。
一方、吸収式冷凍機１の運転停止後の経過時間が２４時間以下の場合であって、冷凍能力比Ｑが８０％以上の場合には（ＳＴ８：ＮＯ）、希釈運転を行わず、直ちに吸収式冷凍機１の運転を開始するように制御する（ＳＴ１０）。同様に、経過時間が２４時間を超えている場合であって、冷凍能力比Ｑが８０％未満の場合にも（ＳＴ８：ＮＯ）、希釈運転を行わず、直ちに吸収式冷凍機１の運転を開始するように制御する（ＳＴ１０）。
このとき、吸収式冷凍機１の運転停止後の経過時間が２４時間以下の場合であって、冷凍能力比Ｑが８０％未満の場合には、実測検証により運転停止時の希釈運転が充分できていることがわかっている。そのため、吸収式冷凍機１の運転停止後の経過時間が２４時間以下の場合であって、冷凍能力比Ｑが８０％未満の場合には、希釈運転を行う必要はない。
【００３７】
この場合に、制御装置４１は、外部温度センサ３５による外部温度を検出して、外部温度が２５℃より高いか否かを判断し（ＳＴ１１）、外部温度が２５℃より高い場合には（ＳＴ１１：ＹＥＳ）、３０分間、稀吸収液ポンプ２１の駆動周波数を所定の駆動周波数演算値より１０Ｈｚ低くなるように制御する（ＳＴ１２）。
【００３８】
一方、外部温度が２５℃以下の場合には（ＳＴ１１：ＮＯ）、制御装置４１は、メモリに記憶された冷凍能力比Ｑが５０％以下か否かを判断する（ＳＴ１３）。冷凍能力比Ｑが５０％より高い場合は（ＳＴ１３：ＮＯ）、制御装置４１は、稀吸収液ポンプ２１の駆動周波数を駆動周波数演算値より５Ｈｚ低くなるように制御する（ＳＴ１４）。
そして、制御装置４１は、高温再生器１０における吸収液の出口温度が１２５℃以上になった場合には、稀吸収液ポンプ２１の駆動周波数をさらに５Ｈｚ低くなるように制御する。
また、冷凍能力比Ｑが５０％以下の場合は（ＳＴ１３：ＹＥＳ）、外部温度が２５℃より高い場合と同様に、稀吸収液ポンプ２１の駆動周波数を１０Ｈｚ低い駆動周波数で駆動する（ＳＴ１２）。
【００３９】
以上述べたように、本実施形態によれば、吸収器１４と、高温再生器１０と、低温再生器１１と、凝縮器１２と、蒸発器１３と、高温再生器１０を加熱するバーナ２０（加熱手段）と、吸収器１４および凝縮器１２に冷却水を循環させる冷却水ポンプ３０と、空調負荷および蒸発器１３に冷水を循環させる冷水ポンプ３１と、稀吸収液ポンプ２１と、高温再生器１０における吸収液の温度を検出する吸収液温度センサ３４と、外部温度を検出する外部温度センサ３５と、制御装置４１（制御手段）と、を有し、制御装置４１は、運転を停止させた際に、希釈運転を行うとともに、吸収液温度センサ３４による吸収液の温度が所定温度以下の場合、希釈運転を停止させ、運転開始時に、外部温度センサ３５による外部温度が所定温度より高い場合、稀吸収液ポンプ２１を所定の駆動周波数演算値より低い駆動周波数で駆動するように制御する。
これによれば、吸収式冷凍機１の運転停止後の希釈運転時に、吸収液の温度が所定温度以下の場合に、直ちに希釈運転を停止させるようにしているので、高温再生器１０における吸収液の濃度が必要以上に低くなることを防止することができる。また、運転を開始する場合に、外部温度が所定温度より高い場合、稀吸収液ポンプ２１を所定の駆動周波数演算値より低い駆動周波数で駆動することで、吸収液の循環量を低減させ、これにより、高温再生器１０における吸収液の濃度が必要以上に低くなることを防止することができる。
その結果、高温再生器１０における吸収液の濃度が低くなりすぎないように制御することができるので、運転開始時において、バーナ２０の燃焼により、短時間で吸収液を必要な濃度に濃縮することができ、起動時間を短縮することが可能となる。
【００４０】
また、本実施形態によれば、制御装置４１は、吸収液温度センサ３４による吸収液の温度が１３０℃以下の場合、希釈運転を停止させるように制御する。
これによれば、吸収液温度センサ３４による吸収液の温度が１３０℃以下の場合、希釈運転を停止させることで、従来より吸収液の温度が高い状態で、希釈運転を停止させることができ、吸収液の濃度が必要以上に低くなることを防止することができる。
【００４１】
また、本実施形態によれば、制御装置４１は、希釈運転を停止させる場合に、冷却水ポンプ３０を停止させた後、所定時間が経過した後に冷水ポンプ３１を停止させるように制御する。
これによれば、冷却水ポンプ３０を停止させた後、冷水ポンプ３１を動作させることで、冷水配管内を流れる冷水の熱を逃がすことができる。
【００４２】
また、本実施形態によれば、制御装置４１は、運転開始時に、外部温度センサ３５による外部温度が２５℃より高い場合、稀吸収液ポンプ２１を所定の駆動周波数演算値より１０Ｈｚ低い駆動周波数で駆動するように制御する。
これによれば、運転を開始する場合に、外部温度センサ３５による外部温度が２５℃より高い場合、稀吸収液ポンプ２１を所定の駆動周波数演算値より１０Ｈｚ低い駆動周波数で駆動するようにしているので、吸収液の循環量を低減させることができ、これにより、高温再生器１０における吸収液の濃度が必要以上に低くなることを防止することができる。
【００４３】
また、本実施形態によれば、制御装置４１は、希釈運転開始時における冷凍能力比をメモリに記憶させ、運転開始時に、外部温度センサ３５による外部温度が２５℃以下の場合、メモリに記憶された冷凍能力比が所定値より高いか否かを判断し、冷凍能力比が所定値より高い場合は、稀吸収液ポンプ２１を所定の駆動周波数演算値より５Ｈｚ低い駆動周波数で駆動するように制御する。
これによれば、運転開始時に、外部温度センサ３５による外部温度が２５℃以下の場合、メモリに記憶された冷凍能力比が所定値より高い場合は、稀吸収液ポンプ２１を所定の駆動周波数演算値より５Ｈｚ低い駆動周波数で駆動するようにしているので、吸収液の循環量を低減させることができ、これにより、高温再生器１０における吸収液の濃度が必要以上に低くなることを防止することができる。
【００４４】
また、本実施形態によれば、制御装置４１は、運転停止後、運転を開始する場合に、運転停止から所定時間以上経過した場合には、運転開始の前に希釈運転を実施するように制御する。
これによれば、運転停止から所定時間が経過した場合、高温再生器１０における吸収液の濃度が高くなっているおそれがあるため、希釈運転を実施することで、吸収液の濃度を適正に調整することができる。
【００４５】
なお、本実施形態は本発明を適用した一態様を示すものであって、本発明は前記実施形態に限定されない。
例えば、本実施形態では、高温再生器１０にて吸収液を加熱する加熱手段として燃料ガスを燃焼させて加熱を行うバーナ２０を備える構成について説明したが、これに限定されるものではなく、例えば、灯油やＡ重油を燃焼させるバーナ２０を備える構成や、蒸気や排気ガスなどの温熱を用いて加熱する構成としてもよい。
【符号の説明】
【００４６】
１  吸収式冷凍機
１０  高温再生器
１１  低温再生器
１２  凝縮器
１３  蒸発器
１４  吸収器
１５  高温熱交換器
１６  低温熱交換器
２０  バーナ
２１  稀吸収液ポンプ
２２  濃吸収液ポンプ
２５  冷却水配管
２６  冷水配管
２７  冷媒ポンプ
３０  冷却水ポンプ
３１  冷水ポンプ
３２  冷水入口温度センサ
３３  冷水出口温度センサ
３４  吸収液温度センサ
３５  外部温度センサ
４０  コントローラ
４１  制御装置
４２  メモリ
４３  タイマ
４５  運転表示部
４６  燃料制御弁
【図１】
0006605975.tif 000002
【図２】
0006605975.tif 000003
【図３】
0006605975.tif 000004
【図４】
0006605975.tif 000005